(57)【要約】【課題】複数の器具排水管を一体化すると共に、収納部材内からの臭気の漏れ出を防止する排水管収納構造を提供すること。【解決手段】一端部が水廻り器具１４に接続された器具排水管２０と、竪管２４の下端側を内部に収納する垂直方向に延びる中径管３０と、一端部が建物の上下に延びる排水立て管１２に接続され他端部が中径管３０の下端部に接続される合流部継手３２と、中径管３０の上端部に設けられ、器具排水管２０を支持すると共に中径管３０の内部と外部とを閉塞する閉塞部材４０とを含んだ排水管収納構造１０とすることで、複数の竪管２４を一体化させると共に中径管３０内からの臭気の漏れを防止できる。【選択図】図１
2008115587.tif 000002
【特許請求の範囲】
【請求項１】
一端部が水廻り器具に接続された器具排水管と、
複数の前記器具排水管の上下方向に延びる他端側を内部に収納する筒状の収納部材と、
一端部が上下方向に延びる排水立て管に接続され、他端部が前記収納部材の下端部に接続され、前記水廻り器具からの排水を合流させて前記排水立て管に送る合流部継手と、
前記収納部材の上端側に設けられ、複数の前記器具排水管の他端側を支持すると共に前記収納部材の内部と外部とを閉塞する閉塞部材と、
を備えることを特徴とする排水管収納構造。
【請求項２】
前記閉塞部材は前記器具排水管が挿通可能な挿通孔を有し、前記挿通孔の内面が前記排水管の外面に密着することを特徴とする請求項１に記載の排水管収納構造。
【請求項３】
前記閉塞部材の外面が前記収納部材の内面に密着することを特徴とする請求項１又は請求項２に記載の排水管収納構造。
【請求項４】
前記閉塞部材が弾性体からなることを特徴とする請求項２又は請求項３に記載の排水管収納構造。
【請求項５】
前記器具排水管の他端側は垂直方向に延びる竪管部を有し、前記器具排水管内を流れる排水がサイフォン流れとされることを特徴とする請求項１乃至請求項４の何れか１項に記載の排水管収納構造。
【請求項６】
筒状の収納部材の一端部分に密着して係合可能な本体部と、
前記本体部に設けられ、前記収納部材の内径よりも外径が小さい複数の器具排水管を挿通可能な複数の挿通孔と、を備え、
前記挿通孔は前記器具排水管を挿通させることで、前記挿通孔の内面が前記器具排水管の外面に密着することを特徴とする閉塞部材。
【発明の詳細な説明】
【技術分野】
【０００１】
本発明はサイフォン排水システムにおける各水廻り器具から延びる各器具排水管の垂直方向に延びる竪管部を収納する排水管収納構造に関するものである。またこの排水管収納構造に好適に用いられる閉塞部材に関する。
【背景技術】
【０００２】
近年、高層マンションや戸建て住宅の排水システムとしてサイフォン排水システムが開発されている。サイフォン排水システムは建物の上下方向に延びる排水立て管と、水廻り器具からの器具排水管（横引き管及び竪管）と、両管を接続する合流部継手とを有し、横引き管は床スラブの上に無勾配に配設され、竪管は横引き管から垂下して配設され、合流部継手は一階下の階に設置されるのが好ましく、横引き管と合流部継手との間の水頭（落差）Ｈｓを利用して横引き管内の水にサイフォン力を付与して排水するシステムである。
【０００３】
このようなサイフォン排水システムにあっては、器具排水管は比較的小径のパイプを用い、基本的に合流部継手に達するまで他のパイプとは合流させることはなく、各水廻り器具からの各器具排水管がそのまま合流部継手に接続されている。
【０００４】
しかしながら、サイフォン排水システムは前記のように一器具一排水のため、水頭Ｈｓ部分において器具排水管が水廻り器具の数だけあり、この部分での平面納まり寸法が大きくなってしまう問題点があった。また、器具排水管が露出していた。このため、この水頭Ｈｓ部分の各竪管を固定及び保護しようとすると、別途部材及び工事が必要となり、コストが嵩んでしまっていた。
【０００５】
これらの欠点を解消すべく筒状の収納部材内に竪管を束ねて収納して竪管を一体的に支持し、保護する技術が考案されている。（例えば、特許文献１参照）
【特許文献１】特開２００６−２０７１９０号公報
【発明の開示】
【発明が解決しようとする課題】
【０００６】
ところで、複数の竪管を束ねて合流部継手に接続するのに、束ねた竪管の端部を合流部継手の接続部に挿入する場合がある。この場合には、束ねた竪管の間に隙間が生じてしまい、排水立て管からの臭気がこの隙間を抜けて、外部に漏れ出してしまう問題がある。また、合流部継手の接続部に束ねた竪管を収納する収納部材を配置しても、臭気は束ねた竪管の間の隙間を通って収納部材の開口から漏れ出してしまう。
【０００７】
本発明の目的は、上記事実を考慮して、複数の器具排水管を一体化すると共に、収納部材内からの臭気の漏れを防止する排水管収納構造及び閉塞部材を提供することを目的とする。
【課題を解決するための手段】
【０００８】
上記目的を達成するために本発明の請求項１に係る排水管収納構造は、一端部が水廻り器具に接続された器具排水管と、複数の前記器具排水管の上下方向に延びる他端側を内部に収納する筒状の収納部材と、一端部が上下方向に延びる排水立て管に接続され、他端部が前記収納部材の下端部に接続され、前記水廻り器具からの排水を合流させて前記排水立て管に送る合流部継手と、前記収納部材の上端側に設けられ、複数の前記器具排水管の他端側を支持すると共に前記収納部材の内部と外部とを閉塞する閉塞部材と、を備えることを特徴としている。
【０００９】
次に請求項１に記載の排水管収納構造の作用について説明する。
複数の器具排水管の上下方向に延びる他端側が閉塞部材によって支持されるため、複数の器具排水管の他端側が纏められて一体化される。また、排水立て管からの臭気が合流部継手を通って収納部材内に充満しても、閉塞部材が収納部材の内部と、収納部材の外部とを閉塞するため、臭気の漏れが防止される。
従って、本発明の排水管収納構造を用いれば複数の器具排水管を一体化できると共に、収納部材内からの臭気の漏れを防止できる。
【００１０】
本発明の請求項２に係る排水管収納構造は、請求項１に記載の排水管収納構造において、前記閉塞部材は前記器具排水管が挿通可能な挿通孔を有し、前記挿通孔の内面が前記排水管の外面に密着することを特徴としている。
【００１１】
次に、請求項２に記載の排水管収納構造の作用について説明する。
器具排水管の外面と挿通孔の内面とが密着しているため、この密着面からの臭気の漏れが防止される。
【００１２】
本発明の請求項３に係る排水管収納構造は、請求項１又は請求項２に記載の排水管収納構造において、前記閉塞部材の外面が前記収納部材の内面に密着することを特徴としている。
【００１３】
次に、請求項３に記載の排水管収納構造の作用について説明する。
閉塞部材の外面と前記収納部材の内面とが密着しているため、この密着面からの臭気の漏れが防止される。
【００１４】
本発明の請求項４に係る排水管収納構造は、請求項２又は請求項３に記載の排水管収納構造において、前記閉塞部材が弾性体からなることを特徴としている。
【００１５】
次に、請求項４に記載の排水管収納構造の作用について説明する。
閉塞部材が弾性体からなるため、少なくとも挿通孔の内面と排水管の外面との密着をさらに向上させることができる。
【００１６】
本発明の請求項５に係る排水管収納構造は、請求項１乃至請求項４の何れか１項に記載の排水管収納構造において、前記器具排水管の他端側は垂直方向に延びる竪管部を有し、前記器具排水管内を流れる排水がサイフォン流れとされることを特徴としている。
【００１７】
次に、請求項５に記載の排水管収納構造の作用について説明する。
水廻り器具からの排水が竪管部において満流となることでサイフォン力が発生し、器具排水管内の排水がサイフォン流れとされ、合流部継手で合流し、排水立て管内へ送られる。このようなサイフォン力を用いるサイフォン排水システムにおいては、一器具一排水とされるため本発明の排水管収納構造が好適に作用する。
【００１８】
また、上記目的を達成するために本発明の請求項６に係る閉塞部材は、筒状の収納部材の一端部分に密着して係合可能な本体部と、前記本体部に設けられ、前記収納部材の内径よりも外径が小さい複数の器具排水管を挿通可能な複数の挿通孔と、を備え、前記挿通孔は前記器具排水管を挿通させることで、前記挿通孔の内面が前記器具排水管の外面に密着することを特徴としている。
【００１９】
次に請求項６に記載の閉塞部材の作用について説明する。
閉塞部材を収納部材の一端部分に密着して係合させ、夫々の挿通孔に夫々の器具排水管を挿通して挿通孔の内面と器具排水管の外面とを密着させることで複数の器具排水管が閉塞部材によって支持され、複数の器具排水管の他端側が纏められて一体化される。また、収納部材内に流体（例えば臭気）が充満しても、閉塞部材が収納部材の内部と収納部材の外部とを閉塞するため、収納部材の内部からの流体の漏れが防止される。
従って、本発明の閉塞部材を用いれば複数の器具排水管を一体化できると共に、収納部材内からの流体の漏れを防止できる。
【発明の効果】
【００２０】
本発明の排水管収納構造は、複数の器具排水管を一体化できると共に収納部材内からの臭気の漏れを防止できる。また、本発明の閉塞部材は複数の器具排水管を一体化できると共に収納部材内からの臭気の漏れを防止できる。
【発明を実施するための最良の形態】
【００２１】
［第１の実施形態］
（構成）次に、本発明の閉塞部材と、この閉塞部材を用いた排水管収納構造について図１乃至図３にしたがって説明する。図１は第１の実施形態に係る排水管収納構造１０が適用された高層マンションにおけるサイフォン排水システムの一部を示す概略図であり、図２は図１の部分断面拡大図であり、図３（Ａ）は閉塞部材の平面図であり、図３（Ｂ）は図３（Ａ）のＢ−Ｂ断面である。なお図中の矢印Ｈは垂直方向を示すものである。
【００２２】
図１の符号１２は高層マンションの各階を上下（略垂直方向）に貫く排水立て管を示し、符号１４は各階に設置された水廻り器具を示し、符号１６は各階の床スラブを示している。これらの水廻り器具１４には、夫々独立して複数の器具排水管２０が接続されている。この器具排水管２０は、床スラブ１６上に無勾配で設置される略水平方向に延びる横引き管２２と、一端部が横引き管２２に接続される略Ｌ字状に折り曲げられたベンド管２３と、このベンド管２３の他端部に接続されて矢印Ｈ方向の下側に延びる竪管２４とを有している。なお、横引き管２２は床スラブ１６上で合流することはないものとする。
【００２３】
竪管２４の下端側は図１に示すように、中径管３０の内部に収納されている。この中径管３０は矢印Ｈ方向に延び、その下端部が略Ｌ字状の合流部継手３２の一方の接続部に固定されている。合流部継手３２の他方の接続部は排水立て管１２に接続されている。この合流部継手３２は竪管２４からの排水流れを合流させて、排水立て管１２内へ送っている。また、中径管３０の上端部には略円柱状の弾性体（例えば、ゴム、ウレタン等）からなる閉塞部材４０が図２に示されるように挿入されている。
【００２４】
この閉塞部材４０は図３に示すように、中径管３０の内部に挿入することで外周面が中径管３０の内周面と密着する本体部４３と、この本体部４３に設けられた本体部４３よりも径が広く、本体部４３の中径管３０内への脱落防止となる環状のフランジ部４４と、本体部４３に設けられて竪管２４が挿通することで内周面がこの竪管２４の外周面と密着する本体部２４の軸方向に延びる挿通孔４２とを有している。
【００２５】
なお、本実施形態では、排水立て管１２をステンレス鋼管とし、器具排水管２０をポリブテン製の可撓性樹脂管とする構成とするが、各配管の材質はこの構成に限定される必要は無く、従来の建築用配管に用いられる配管の材質であれば何れを用いても良いものとする。
【００２６】
また、本実施形態ではサイフォン力を利用して器具排水管２０内の水を排水立て管１２へと排水するサイフォン排水システムを用いるため、器具排水管２０の径はこのサイフォン力を生じさせることが可能な径とする。またサイフォン排水システムにおいては、水頭Ｈｓ（落差）が大きい（竪管２４が長い）ほどサイフォン排水時の排水の流速が上昇するため、水廻り器具が必要とする流量に応じて竪管２４の長さを最適化することが好ましい。この最適化とは例えば、浴槽や洗濯機等の溜め水排水のように流量が必要とされる場合には竪管２４の長さを長くして十分な流量を確保し、流量がそれほど必要とされない場合には竪管２４の長さを短くして部材コストを低減することを指している。
なお、サイフォン排水システムの詳しい説明については、本特許出願人によって提案がなされており、その説明を省略する（特開２００２−３０２９７７号公報、及び特開２００３−２０１７２７号公報）。
【００２７】
また、竪管２４を予め工場にて所定の寸法（水廻り器具１４に必要とされる流量に応じた長さ）に加工しておけば、現場にて閉塞部材４０に挿通させて中径管３０内に収納することで、現場で竪管２４に必要とされる長さを計測してその長さに加工する作業を省略でき、作業効率を向上できる。その場合図１に示すように、竪管２４の下端部が合流部継手３２に接続（例えば、合流部継手３２の接続部に挿入）されていなくても中径管３０内に竪管２４の下端側が収納されているので、排水等が漏れ出すことはない。また、中径管３０内で竪管２４の下端部が開放されている場合には、夫々の水廻り器具において最適な水頭Ｈｓを設定する（竪管２４の長さを替える）ことができ、また、竪管２４は中径管３０を通して合流部継手３２、排水立て管１２へ接続されるため、部材数削減による合理化が可能となる。
なお、本実施形態では、図１に示すように竪管２４の下端部が合流部継手３２に接続されない（開放される）構成とするが、この構成に限定される必要は無く、竪管２４の下端部が合流部継手３２に接続される構成であっても良いものとする。
【００２８】
（作用）前述した閉塞部材４０を用いた排水管収納構造１０によれば、複数の竪管２４が閉塞部材４０によって一体的に支持されるため、複数の竪管２４が纏められて一体化されて中径管３０内に収納される。また、排水立て管１２からの臭気が合流部継手３２を通って中径管３０内に充満しても、閉塞部材４０が中径管３０内と、閉塞部材４０の外部とを閉塞するため、臭気の漏れが防止される。従って、複数の竪管２４を一体化できると共に、中径管３０内からの臭気の漏れを防止できる。
【００２９】
また、閉塞部材４０による中径管３０内の閉塞は、具体的には、竪管２４の外周面と挿通孔４２の内周面とが密着することと、中径管３０の内周面と閉塞部材４０の外周面とが密着することによってなされ、これらの密着面からの臭気の漏れが防止されている。さらに、閉塞部材４０が弾性体からなるため、挿通孔４２の内周面と竪管２４の外周面との密着がさらに向上し、中径管３０の内周面と閉塞部材４０の外周面との密着がさらに向上する。
【００３０】
また、本実施形態は、水廻り器具１４からの排水が竪管２４において満流となることでサイフォン力が発生し、器具排水管２０内の排水がサイフォン流れとされて、合流部継手３２で合流し、排水立て管１２内へ送られる、所謂サイフォン力を利用するサイフォン排水システムを用いている。このようなサイフォン力を用いるサイフォン排水システムにおいては、一器具一排水のため閉塞部材４０を用いた排水管収納構造１０が好適に作用する。なお、本実施形態ではサイフォン排水システムに閉塞部材４０を用いた排水管収納構造１０を適用したが、この構成に限定されず、通常の排水システムに排水管収納構造１０を適用しても良いものとする。
【００３１】
［その他の実施形態］
第１の実施形態では、高層マンションに排水管収納構造１０を適用したが、この構成に限定されず、この排水管収納構造１０を戸建てに適用しても良いものとする。
第１の実施形態では、閉塞部材４０を中径管３０の上端部に挿入する栓構造（本体部４３の外周面と中径管３０の内周面とが密着する構造）としたが、この構成に限定されず、閉塞部材が中径管の上端部及び外周面の一部を覆う蓋構造であっても良いものとする。例えば、この蓋構造を用いた閉塞部材の一例（閉塞部材５０）を図４に従って説明すると、中径管３０の上端部及び外周面の一部と密着する密着面５１（内周面）を有する本体部５３と、本体部５３に設けられて竪管２４が挿通することで内周面がこの竪管２４の外周面と密着する本体部５３の軸方向に延びる挿通孔５２とを有している。なお、この閉塞部材５０を用いた場合に得られる効果は、閉塞部材４０を用いた場合に得られる効果と同様である。
【図面の簡単な説明】
【００３２】
【図１】第１の実施形態に係る排水管収納構造が適用された高層集合住宅におけるサイフォン排水システムの一部を示す概略図である。
【図２】図１の部分断面拡大図である。
【図３】（Ａ）は第１の実施形態に用いる閉塞部材の平面図であり、（Ｂ）は図３（Ａ）のＢ−Ｂ断面である。
【図４】その他の実施形態に係る排水管収納構造に用いる閉塞部材の断面図である。
【符号の説明】
【００３３】
１２    排水立て管
１４    水廻り器具
２０    器具排水管
２２    横引き管
２４    竪管
３０    中径管（収納部材）
３２    合流部継手（合流部）
４０    閉塞部材
４２    挿通孔
６０    閉塞部材
６２    挿通孔
【図１】
2008115587.tif 000003
【図２】
2008115587.tif 000004
【図３】
2008115587.tif 000005
【図４】
2008115587.tif 000006